(57)【特許請求の範囲】
【請求項１】
便器の上部に開閉自在に設けられる便座の後部に手摺りが取り付けられる取付部材を一体となるように形成してなる便器用手摺りの取付構造において、上記取付部材のプレート状をなしている本体部分に便座固定穴を設けるとともに、上記便器に対して固定することができる便器固定穴を設け、上記便座固定穴の下方から固定用具にて上記便座の後部に固定し、上記取付部材が、上記便座の幅方向にわたって設けられるものであって、同取付部材の両端を上方へ立ち上げた立直片を設け、この立直片が便座後部側方の内側に納まるとともに、上記便座の後部側方に開口部が設けてあり、この開口部を介して立直片に手摺りが取り付けられることを特徴とする便器用手摺りの取付構造。
【請求項２】
上記取付部材の立直片に手摺り固定用穴を形成し、一方、上記手摺りのフランジに固定用穴を形成し、この固定用穴と手摺り固定用穴とを重ね合わせて、固定具にて固定して、この立直片に上記手摺りが取り付けられてなることを特徴とする請求項１記載の便器用手摺りの取付構造。
【発明の詳細な説明】
【０００１】
【発明の属する技術分野】
本発明は、便器用手摺りの取付構造に関し、具体的には、使用者が便器を使いやすいようにするために取り付けられる手摺りに有用な便器用手摺りの取付構造に関するものである。
【０００２】
【従来の技術】
従来の便器用手摺りの取付構造としては、例えば、図２に示すごとく、手摺り（２）の取付フレーム（１８）を取付具（１９）にて建物の床面（２０）に取り付け固定していたものであり、この取付フレーム（１８）に手摺り（２）が同図のごとき取り付けられていたものが知られていた。
【０００３】
【発明が解決しようとする課題】
しかしながら、このような便器用手摺りの取付構造においては、手摺り（２）があるために、使用者にとって便器が使いやすくなったものの、取付フレーム（１８）を取付具（１９）にて建物の床面（２０）に取り付け固定するものであるために、掃除などの手入れの際に、取付フレーム（１８）や取付具（１９）が邪魔になって、手入れが非常に行い難いものであった。
【０００４】
しかも、施工現場において、取付フレーム（１８）を取付具（１９）にて建物の床面（２０）に取り付け固定する必要があるために、施工者としては、単に便器の設置固定のみにとどまらず、このような取付フレーム（１８）にて手摺り（２）の取り付け固定も行わなければならず、現場での施工が非常に困難であった。
【０００５】
本発明は、上述の問題を解決するためになされたもので、その目的とするところは、現場での施工が簡単である上に、施工後も、掃除などの手入れの際に、使用者が簡単に手入れを行うことができる便器用手摺りの取付構造を提供するものである。
【０００６】
【課題を解決するための手段】
本発明の請求項１に係る便器用手摺りの取付構造は、便器（８）の上部に開閉自在に設けられる便座（９）の後部に手摺り（２）が取り付けられる取付部材（１）を一体となるように形成してなる便器用手摺りの取付構造において、上記取付部材（１）のプレート状をなしている本体部分に便座固定穴（１１）を設けるとともに、上記便器（８）に対して固定することができる便器固定穴（１０）を設け、上記便座固定穴（１１）の下方から固定用具（１２）にて上記便座（９）の後部に固定し、上記取付部材（１）が、上記便座（９）の幅方向にわたって設けられるものであって、同取付部材（１）の両端を上方へ立ち上げた立直片（３）を設け、この立直片（３）が便座後部側方の内側に納まるとともに、上記便座（９）の後部側方に開口部（５）が設けてあり、この開口部（５）を介して立直片（３）に手摺り（２）が取り付けられることを特徴とする。
【０００７】
本発明の請求項２に係る便器用手摺りの取付構造は、上記取付部材（１）の立直片（３）に手摺り固定用穴（７）を形成し、一方、上記手摺り（２）のフランジ（４）に固定用穴（６）を形成し、この固定用穴（６）と手摺り固定用穴（７）とを重ね合わせて、固定具にて固定して、この立直片（３）に上記手摺り（２）が取り付けられてなることを特徴とする。
【０００９】
【発明の実施の形態】
以下、本発明を実施形態に係る図面に基づいて詳しく説明する。
【００１０】
図１の（ａ）は、本発明の一実施形態に係る便器用手摺りの取付構造を示した分解斜視図であり、図１の（ｂ）は、同図１の（ａ）の便器用手摺りの取付構造の側面図である。
【００１１】
本発明の便器用手摺りの取付構造は、図１の（ａ）および（ｂ）に示すごとく、便器（８）の上部に開閉自在に設けられる便座（９）の後部に手摺り（２）が取り付けられる取付部材（１）を一体となるように形成してなっているものである。
【００１２】
上記便器（８）は、通常家庭、オフィスなどに設置されているものと全く同様のものでかまわないものである。
【００１３】
上記便座（９）は、図１の（ａ）および（ｂ）に示すごとく、上記便器（８）の上部に取り付け固定されて設けられているものであって、開閉自在なものである。この便座（９）としては、通常便器（８）の上部に取り付け固定されているものとなんら変わりのないものであって良いものである。
【００１４】
上記便座（９）の後部は、図１の（ａ）および（ｂ）に示すごとく、手摺り（２）が取り付けられる取付部材（１）を一体となるように形成してなっているものである。この取付部材（１）は、例えば、同図のごとき本体部分がプレート状のものであり、上記便器（８）の上端面一面に取り付け設置されているものである。この取付部材（１）としては、その強度を充分に確保することができるものであれば、材質は特に問われるものではないが、例えば、樹脂製のものであってもかまわないし、金属製のものであってもかまわないものである。
【００１５】
具体的には、図１の（ａ）に示すごとく、上記取付部材（１）のプレート状をなしている本体部分に便座固定穴（１１）が設けられているものであり、この便座固定穴（１１）の下方から、ビス、ネジ、釘などの固定用具（１２）にて固定するだけで、上記便座（９）の後部は、同取付部材（１）と一体となるように形成することができるものである。
【００１６】
なお、上記取付部材（１）の手前側部分は、必要に応じて、図１の（ａ）に示すごとき切り欠いて、温水洗浄ノズルや消臭用空気吸入口を設けられるように工夫がなされてもかまわないものである。
【００１７】
上記手摺り（２）としては、図１の（ａ）および（ｂ）に示すごとき一対が左右別々に設けられていてもかまわないし、外形略Ｆ字型に形成されて左右どちらか一方に取り付け支持されるようになしたものであってもかまわないものである。
【００１８】
本発明は、このような構成をとることによって、手摺り（２）があるために、使用者にとって便器を使いやすくすることができる上に、同手摺り（２）が便器（８）の上部に開閉自在に設けられる便座（９）の後部の取付部材（１）に取り付けられるので、手摺り（２）を建物の床面に取り付け固定する必要がなくなり、掃除などの手入れの際に、取付部材（１）や手摺り（２）が邪魔になることがなく、使用者が簡単に手入れを行うことができるものである。そして、同取付部材（１）と上記便座（９）とを一体となるように形成しているので、予め工場などで便座（９）に取付部材（１）を取り付け固定しておくことができるために、現場での施工としては、単に便器（８）と便座（９）との設置固定のみで良く、施工者にとって非常に簡単なものとすることができる。
【００１９】
すなわち、本発明は、現場での施工が簡単である上に、施工後も、掃除などの手入れの際に、使用者が簡単に手入れを行うことができるものである。
【００２０】
特に、図１の（ａ）および（ｂ）に示すごとく、上記取付部材（１）が、上記便座（９）の幅方向にわたって設けられるものであって、同取付部材（１）の両端を上方へ立ち上げた立直片（３）を設け、この立直片（３）に上記手摺り（２）が取り付けられてなるものであると、便座（９）の幅方向にわたって設けられる取付部材（１）にて、同取付部材（１）の本体部分の形状としては確実に平板状のものとなるために、同取付部材（１）に掛かる荷重が確実に分散されるようになり、取付部材（１）自体の強度をアップさせることができるとともに、便器（８）や便座（９）にかかる荷重としても小さくなり、その結果、便器（８）が割れる心配はなくなるものである。しかも、取付部材（１）の両端を上方へ立ち上げた立直片（３）に手摺り（２）が取り付けられるために、現場での取り付け施工としても簡単なものとなる。
【００２１】
具体的には、上記立直片（３）は、図１の（ａ）および（ｂ）に示すごとく、上記取付部材（１）の両端を上方へ立ち上げているものである。本発明では、この立直片（３）に手摺り（２）が取り付けられてなっているものである。すなわち、上記取付部材（１）と手摺り（２）とは、別体に形成されていてもかまわないものであり、同手摺り（２）としては、この立直片（３）にて着脱自在に取り付けられるものであれば良いものである。
【００２２】
例えば、図１の（ａ）に示すごとく、上記立直片（３）に手摺り固定用穴（７）を形成しておいて、一方、上記手摺り（２）のフランジ（４）に固定用穴（６）を形成しておくと、この固定用穴（６）と手摺り固定用穴（７）とを重ね合わせて、ビス、釘などの固定具にて固定するだけで、立直片（３）に手摺り（２）が取り付けられるものである。
【００２３】
なお、本発明では、前述したように上記便座（９）の後部は、上記取付部材（１）を一体となるように形成してなっているものであるから、図１の（ａ）および（ｂ）に示すごとく、同便座（９）の後部側方に開口部（５）が設けてあり、実際には、この開口部（５）を介して上述のごとき立直片（３）に手摺り（２）が取り付けられるものである。
【００２４】
さらに、図１の（ａ）に示すごとく、上記取付部材（１）に上記便器（８）に対して固定することができる長穴状の便器固定穴（１０）を設けているものであると、この取付部材（１）に設けられた長穴状の便器固定穴（１０）にて便器（８）の収縮により、寸法ズレが生じたとしても、この長穴状形状により、寸法ズレが吸収されて左右へのぶれ防止をしながら、便器（８）に対して簡単、かつ、確実に同取付部材（１）を固定することができるものである。
【００２５】
本発明の便器用手摺りの取付構造によると、図１の（ａ）および（ｂ）に示すごとく、便器（８）の上部に開閉自在に設けられる便座（９）の後部に手摺り（２）が取り付けられる取付部材（１）を一体となるように形成してなるので、手摺り（２）があるために、使用者にとって便器を使いやすくすることができる上に、同手摺り（２）が便器（８）の上部に開閉自在に設けられる便座（９）の後部の取付部材（１）に取り付けられるので、手摺り（２）を建物の床面に取り付け固定する必要がなくなり、掃除などの手入れの際に、取付部材（１）や手摺り（２）が邪魔になることがなく、使用者が簡単に手入れを行うことができるものである。そして、同取付部材（１）と上記便座（９）とを一体となるように形成しているので、予め工場などで便座（９）に取付部材（１）を取り付け固定しておくことができるために、現場での施工としては、単に便器（８）と便座（９）との設置固定のみで良く、施工者にとって非常に簡単なものとすることができる。
【００２６】
すなわち、本発明は、現場での施工が簡単である上に、施工後も、掃除などの手入れの際に、使用者が簡単に手入れを行うことができるものである。
【００２７】
【発明の効果】
本発明の請求項１に係る便器用手摺りの取付構造によると、手摺り（２）があるために、使用者にとって便器を使いやすくすることができる上に、同手摺り（２）が便器（８）の上部に開閉自在に設けられる便座（９）の後部の取付部材（１）に取り付けられるので、手摺り（２）を建物の床面に取り付け固定する必要がなくなり、掃除などの手入れの際に、取付部材（１）や手摺り（２）が邪魔になることがなく、使用者が簡単に手入れを行うことができるものである。そして、同取付部材（１）と上記便座（９）とを一体となるように形成しているので、予め工場などで便座（９）に取付部材（１）を取り付け固定しておくことができるために、現場での施工としては、単に便器（８）と便座（９）との設置固定のみで良く、施工者にとって非常に簡単なものとすることができる。
【００２８】
すなわち、本発明は、現場での施工が簡単である上に、施工後も、掃除などの手入れの際に、使用者が簡単に手入れを行うことができるものである。
【００２９】
本発明の請求項２に係る便器用手摺りの取付構造によると、請求項１記載の場合に加えて、便座（９）の幅方向にわたって設けられる取付部材（１）にて、同取付部材（１）の本体部分の形状としては確実に平板状のものとなるために、同取付部材（１）に掛かる荷重が確実に分散されるようになり、取付部材（１）自体の強度をアップさせることができるとともに、便器（８）や便座（９）にかかる荷重としても小さくなり、その結果、便器（８）が割れる心配はなくなるものである。しかも、取付部材（１）の両端を上方へ立ち上げた立直片（３）に手摺り（２）が取り付けられるために、現場での取り付け施工としても簡単なものとなる。
【図面の簡単な説明】
【図１】（ａ）は、本発明の一実施形態に係る便器用手摺りの取付構造を示した分解斜視図であり、（ｂ）は、（ａ）の便器用手摺りの取付構造の側面図である。
【図２】一従来例に係る便器用手摺りの取付構造を示した斜視図である。
【符号の説明】
１    取付部材
２    手摺り
３    立直片
８    便器
９    便座
１０  便器固定穴
【図１】
0004144120.tif 000002
【図２】
0004144120.tif 000003